(57)【要約】      （修正有）【課題】基板の設置構造に特徴がある遊技台を提供すること。【解決手段】基板を収容する基板収容手段と、前記基板収容手段が取り付けられる取付部と、を備えた遊技台であって、前記基板収容手段を回動自在に前記取付部に支持するヒンジ手段と、前記基板収容手段を固定位置に回動不能に固定する固定手段と、を備え、前記ヒンジ手段は、前記基板収容手段および前記取付部の一方に設けられたヒンジ軸と、前記基板収容手段および前記取付部の他方に設けられ、前記ヒンジ軸を軸支する軸孔と、を含み、前記軸孔の内壁の一部は、前記他方に着脱自在に装着される着脱部材により形成され、前記着脱部材が前記他方から取り外されることにより、前記ヒンジ軸と前記軸孔とを分離可能であり、前記着脱部材は、前記基板収容手段が前記固定位置に位置する場合に、前記他方からの取り外しが規制される、ことを特徴とする。【選択図】図１１
2018023460.tif 000002
【特許請求の範囲】
【請求項１】
基板を収容する基板収容手段と、
前記基板収容手段が取り付けられる取付部と、
を備えた遊技台であって、
前記基板収容手段を回動自在に前記取付部に支持するヒンジ手段と、
前記基板収容手段を固定位置に回動不能に固定する固定手段と、を備え、
前記ヒンジ手段は、
前記基板収容手段および前記取付部の一方に設けられたヒンジ軸と、
前記基板収容手段および前記取付部の他方に設けられ、前記ヒンジ軸を軸支する軸孔と、を含み、
前記軸孔の内壁の一部は、前記他方に着脱自在に装着される着脱部材により形成され、
前記着脱部材が前記他方から取り外されることにより、前記ヒンジ軸と前記軸孔とを分離可能であり、
前記着脱部材は、前記基板収容手段が前記固定位置に位置する場合に、前記他方からの取り外しが規制される、
ことを特徴とする遊技台。
【請求項２】
請求項１に記載の遊技台であって、
前記基板収容手段は、前記固定位置において前記取付部に対向する面を有し、
前記面は、前記基板収容手段に収容された前記基板を視認可能な透過部を有し、
前記基板収容手段は、前記固定位置から、前記面が前記取付部から離間した第一の位置へ回動可能であり、
前記第一の位置は、前記透過部を介して前記基板を視認可能であって、かつ、前記着脱部材が前記他方に着脱可能な位置である、
ことを特徴とする遊技台。
【請求項３】
請求項１または請求項２に記載の遊技台であって、
前記着脱部材は、その弾性変形によって前記他方に係合および係合解除する弾性部材である、
ことを特徴とする遊技台。
【請求項４】
請求項１乃至請求項３のいずれか一項に記載の遊技台であって、
前記軸孔の内壁の残りの部分を形成する部分が透明であり、
前記着脱部材が有色の部材である、
ことを特徴とする遊技台。
【発明の詳細な説明】
【技術分野】
【０００１】
本発明は回胴遊技機（スロットマシン）や弾球遊技機（ぱちんこ機）に代表される遊技台に関する。
【背景技術】
【０００２】
遊技台の制御を行う回路を実装した基板は不正行為の対象となる。不正行為の防止策として、基板をケース等に収容し、遊技台からの不正な取り外しを困難にする設置構造が提案されている（例えば特許文献１）。
【先行技術文献】
【特許文献】
【０００３】
【特許文献１】特開２００６−２５５１１９号公報
【発明の概要】
【発明が解決しようとする課題】
【０００４】
しかし、従来の設置構造には改善の余地がある。
【０００５】
本発明の目的は、基板の設置構造に特徴がある遊技台を提供することにある。
【課題を解決するための手段】
【０００６】
本発明によれば、
基板を収容する基板収容手段と、
前記基板収容手段が取り付けられる取付部と、
を備えた遊技台であって、
前記基板収容手段を回動自在に前記取付部に支持するヒンジ手段と、
前記基板収容手段を固定位置に回動不能に固定する固定手段と、を備え、
前記ヒンジ手段は、
前記基板収容手段および前記取付部の一方に設けられたヒンジ軸と、
前記基板収容手段および前記取付部の他方に設けられ、前記ヒンジ軸を軸支する軸孔と、を含み、
前記軸孔の内壁の一部は、前記他方に着脱自在に装着される着脱部材により形成され、
前記着脱部材が前記他方から取り外されることにより、前記ヒンジ軸と前記軸孔とを分離可能であり、
前記着脱部材は、前記基板収容手段が前記固定位置に位置する場合に、前記他方からの取り外しが規制される、
ことを特徴とする遊技台が提供される。
【発明の効果】
【０００７】
本発明によれば、基板の設置構造に特徴がある遊技台を提供することができる。
【図面の簡単な説明】
【０００８】
【図１】実施形態のスロットマシンの斜視図。
【図２】実施形態のスロットマシンの前面扉を開いた状態の正面図。
【図３】基板収容ユニットと取付部の斜視図。
【図４】基板収容ユニットと取付部の分解斜視図。
【図５】基板収容ケースの分解斜視図。
【図６】基板収容ケースの分解斜視図。
【図７】（ａ）は軸支部の斜視図、（ｂ）はヒンジ軸の斜視図。
【図８】（ａ）は着脱部材の斜視図、（ｂ）はヒンジ部周辺の斜視図。
【図９】（ａ）および（ｂ）はヒンジ部の組み立て例の説明図。
【図１０】（ａ）および（ｂ）は基板収容ケースの回動態様およびヒンジ部の説明図。
【図１１】（ａ）および（ｂ）は図８（ｂ）のＩ−Ｉ線に沿う断面図で示した基板収容ケースの回動態様およびヒンジ部のの説明図
【図１２】目視確認の例を示す説明図。
【図１３】（ａ）および（ｂ）は固着部の組み立て例の説明図。
【図１４】（ａ）および（ｂ）は固着部の組み立て例の説明図。
【図１５】（ａ）は図１４（ａ）のＩＩ−ＩＩ線断面図、（ｂ）は図１４（ｂ）のＩＩＩ−ＩＩＩ線断面図。
【図１６】不正行為の例を示す図。
【図１７】（ａ）〜（ｃ）は封印部材の説明図。
【図１８】（ａ）および（ｂ）は基板収容ユニットの他の構成例を示す図。
【発明を実施するための形態】
【０００９】
＜全体構造＞
図１は本発明の一実施形態の係るスロットマシン１００の斜視図である。図１に示すスロットマシン１００は、本体１０１と、本体１０１の正面に取付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１０】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１１】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１２】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして設定してもよく、ベット数に関係なく、一律に同一数の入賞ラインを有効な入賞ラインとして設定してもよい。
【００１３】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１４】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１５】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１６】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１７】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００１８】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００１９】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２０】
音孔１４３はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。なお、液晶表示装置でなくとも、種々の演出画像や種々の遊技情報を表示可能な表示装置であればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２１】
＜内部構造＞
図２は、前面扉１０２を開けた状態のスロットマシン１００を示す正面図である。本体１０１は、上面板２６１、左側の側面板２６０、右側の側面板２６０、下面板２６４および背面板２４２で囲われ、前面に開口する箱体である。本体１０１の内部には、背面板２４２の上部に設けた通風口２４９と重ならない位置に、内部に主制御基板を収容した基板収容ユニットＡが取付部Ｂを介して背面板２４２に取り付けられている。主制御基板はＣＰＵ等を備え、遊技の進行を制御する回路基板である。基板収容ユニットＡの下方に、３つのリール１１０乃至１１２が配置されている。
【００２２】
リール１１０乃至１１２の側方、即ち向って左側の側面板２６０には、内部に副制御基板を収容した基板収容ユニット２２０が配設してある。副制御基板は演出を制御する回路基板である。また、向かって右側の側面板２６０には、主制御基板に接続されて、スロットマシン１００の情報を外部装置に出力する外部集中端子板２４８が取り付けられている。
【００２３】
そして、下面板２６４には、メダル払出装置１８０（バケットに溜まったメダルを払出す装置）が配設され、このメダル払出装置１８０の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して後述する主制御部３００、副制御部４００、５００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２４】
メダル払出装置１８０の右側には、メダル補助収納庫２４０が配設してあり、この背後にはオーバーフロー端子が配設されている（図示省略）。電源装置２５２には、電源コード２６４を接続する電源コード接続部が設けられ、ここに接続された電源コード２６４が、本体１０１の背面板２４２に開設した電源コード用穴２６２を通して外部に延出している。
【００２５】
前面扉１０２は、本体１０１の左側の側面板２６０にヒンジ装置２７６を介して蝶着され、図柄表示窓１１３の上部には、演出装置１６０、および、この演出装置１６０を制御する演出制御基板（図示省略）、上部スピーカ２７２、を設けている。図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、下部の音孔１４３に対応する位置には低音スピーカ２７７を設けている。
【００２６】
係る構成のスロットマシン１００では、遊技者がメダルを投入し、スタートレバー１３５に対して開始操作を行うと、リール１１０乃至１１２が一斉に回転すると共に入賞役の内部抽選が行われる。続いて、ストップボタン１３７乃至１３９に対する遊技者の各停止操作が行われると、対応するリールの回転を停止させる。このとき、内部抽選結果に応じたリールの停止制御が行われる。そして、全リール１１０乃至１１２停止時にこれらのリールにより表示された図柄の組み合わせがいずれかの入賞役に対応する図柄の組み合わせであった場合にはその入賞役に入賞し、入賞した入賞役にメダルの払い出しが定められている場合はメダルが払い出される。主制御基板は、このようなスロットマシン１００の遊技の進行に関わる制御を実行する。以下、主制御基板を収納する基板収容ユニットＡおよび取付部Ｂについて説明する。
【００２７】
＜基板収容ユニットおよび取付部＞
基板収容ユニットＡおよび取付部Ｂについて概説する。図３は基板収容ユニットＡおよび取付部Ｂの斜視図であり、図４は基板収容ユニットＡおよび取付部Ｂの斜視図である。基板収容ユニットＡは、主制御基板２を収容する基板収容ケース１を備える。本実施形態の場合、基板収容ユニットＡは実質的に基板収容ケース１から構成されている。基板収容ケース１は全体として奥行き方向に薄い直方体形状を有している。取付部Ｂは板状の本体４を有し、基板収容ケース１の背面（図６等に示す背面２１）と対向する正面４ａを有する。図３は基板収容ユニットＡが固定位置に位置している状態を示しており、この場合、背面２１と正面４ａとが互いに対向し、かつ、少なくとも部分的に接触した状態にある。なお、以下の説明において特にことわらない場合、正面、背面などの方向を言う場合は基板収容ユニットＡが固定位置に位置している場合を想定する。
【００２８】
基板収容ユニットＡおよび取付部３の正面視で左端部には、ヒンジ部３０が設けられており、上下方向に延びるヒンジ軸３１を回動中心として、基板収容ケース１が固定位置から正面側へ回動自在に取付部３に支持されている。
【００２９】
ヒンジ部３０は、ヒンジ軸３１と、ヒンジ軸３１を軸支する軸孔３２ａを有する軸支ユニット３２とを備える。本実施形態の場合、ヒンジ軸３１は取付部Ｂに設けられ、軸支ユニット３２は基板収容ユニットＡに設けられている。しかし、これとは逆にヒンジ軸３１を基板収容ユニットＡに設け、軸支ユニット３２を取付部Ｂに設ける構成も採用可能である。
【００３０】
取付部Ｂは、正面視で本体４の左端部にヒンジ軸３１が一体的に形成されている。本実施形態の場合、ヒンジ軸３１は上下方向の同軸上に二か所設けられている。ヒンジ軸３１は円形の断面形状の部分を含む軸部材である。本体４には、また、背面板２４２に取付部Ｂを固定するための複数の取付孔４ｂと、取付部Ｂに基板収容ユニットＡを固定するための複数の取付孔４ｃとが形成されている。本体４の正面視で右端部には係合部４ｄが設けられている。この係合部４ｄは基板収容ケース１の右端部に係合して、基板収容ユニットＡを固定位置に保持する。
【００３１】
軸支ユニット３２は、基板収容ユニットＡに固定された軸支部３３と、基板収容ユニットＡに着脱自在に装着される着脱部材３４とを備え、軸支部３３と着脱部材３４とにより軸孔３２ａが形成される。軸支ユニット３２は、ヒンジ軸３１が二か所設けられていることに対応して二か所設けられている。
【００３２】
＜基板収容ケース＞
基板収容ケース１について説明する。図５および図６は基板収容ケース１の分解斜視図であり、図５は正面側から見た図、図６は背面側から見た図である。図６において主制御基板２は省略されている。
【００３３】
主制御基板２は、ＣＰＵ、ＲＯＭ、ＲＡＭ等のＩＣ（集積回路）や抵抗等の各種電子部品が実装された基板であり、スロットマシン１００の遊技の進行に関わる制御を司る。
【００３４】
基板収容ケース１は、正面側の上ケース部材１０と背面側の下ケース部材２０とを互いに組み合わせて箱状に構成されており、その内部に主制御基板２を収容する収容空間を形成する。上ケース部材１０と下ケース部材２０とには、これらを嵌め合わせるための幾つかの係止部１４、２４が設けられ、対応する係止部１４、２４を互いに係止することで基板収容ケース１が完成する。
【００３５】
上ケース部材１０及び下ケース部材２０は透過性を有する材料（例えば透明又は半透明の樹脂材料）から構成することが望ましい。本実施形態の場合、上ケース部材１０及び下ケース部材２０はその全体が透明の部材から構成される場合を想定している。
【００３６】
封印シール３は主制御基板２の個体情報（シリアル番号、ＱＲコード（登録商標））等が印刷されたシールであり、上ケース部材１０の一部と下ケース部材２０の一部に跨いで貼着されている。
【００３７】
基板収容ケース１は、上ケース部材１０及び下ケース部材２０を分離すると不可逆的に破壊される封印部として、上ケース部材１０に設けた挿入部１２、下ケース部材２０に設けた挿嵌部２２及び封印ピンＰ１を備える。封印ピンＰ１は挿入部１２を通って挿嵌部２２に離脱不能に嵌合する。
【００３８】
封印ピンＰ１が嵌合された状態で、上ケース部材１０及び下ケース部材２０を分離するためには挿嵌部１２を上ケース部材１０から切除し、封印ピンＰ１の先端を切断する必要があり、その痕跡が残ることになる。
【００３９】
また、基板収容ケース１は、上ケース部材１０及び下ケース部材２０を分離すると不可逆的に破壊される封印部として、上ケース部材１０および下ケース部材２０を固着する固着部４０を備える。固着部４０は上下方向に離間して二か所設けられている。固着部４０の詳細は後述する。
【００４０】
また、基板収容ケース１は基板収容ケース１をスロットマシン１００から分離すると不可逆的に破壊される封印部として、上ケース部材１０に設けた挿嵌部１３、下ケース部材２０に設けた挿通部２３及び封印ピンＰ２を備える。挿嵌部１３には封印ピンＰ２が離脱不能に嵌合する。挿通部２３は封印ピンＰ２の先端が通過して下ケース部材２０の背面に突出させるための貫通穴形成部である。
【００４１】
封印ピンＰ２は、取付部Ｂの取付孔４ｃと係合して、基板収容ユニットＡを固定位置に回動不能に固定する固定部材である。封印ピンＰ２が挿嵌された状態で、基板収容ケース１を取付部Ｂに対して回動する、あるいは、取り外すためには、挿嵌部１３を上ケース部材１０から切除して封印ピンＰ２を取り外す必要があり、その痕跡が残ることになる。
【００４２】
このように本実施形態では、主制御基板２が不正基板に交換することを困難とするために複数種類の封印部を設けている。
【００４３】
＜ヒンジ部＞
ヒンジ部３０の構成について、図４〜６に加えて、図７、図８及び図１１（ａ）を参照して説明する。図７（ａ）は軸支部３３を背面側から見た斜視図であり、図７（ｂ）はヒンジ軸３１を背面側から見た斜視図である。図８（Ａ）は着脱部材３４の斜視図であり、図８（ｂ）はヒンジ部３０を背面側から見た斜視図である。図１１（ａ）は図８（ｂ）のＩ−Ｉ線断面図である。
【００４４】
軸支部３３は下ケース部材２０に一体的に形成されている。軸支部３３は、軸孔３２ａの内壁の一部を構成する内壁３３ａを有している。内壁３３ａ周辺は背面側に向かって開放したＵ字形状を有しており、内壁３３ａはその曲面の部分として形成されている。内壁３３ａは図１１（ａ）に示すように、軸孔３２ａの内壁の一周分（３６０度分）のうち、半分の１８０度分の領域の内壁を形成している。
【００４５】
軸支部３３は、また、着脱部材３４が係合解除自在に係合する係合部３３ｂ、３３ｄを有する。このような係合部は一つでもよいが、本実施形態の場合、二か所の係合部３３ｂ、３３ｄが形成されており、着脱部材３４の係合をより確実なものとしている。本実施形態の場合、係合部３３ｂは、軸支部３３の外面を構成する肩部であり、係合部３３ｄは、着脱部材３４の一部が挿入されるスロット３３ｃの内壁に形成された係合孔である。
【００４６】
図７（ｂ）に示すようにヒンジ軸３１の背面側は部分的に肉抜きがされており、軽量化が図られている。
【００４７】
図８（ａ）に示すように、着脱部材３４は本実施形態の場合、ベース部３４ｂと、ベース部３４ｂから起立した内壁形成部３４ｄと、内壁形成部３４ｄに連続するつづら折り部３４ｅとを含み、樹脂材料等、弾性変形可能な部材により形成される。既に述べたようにしたケース部材２０は全体が透明の部材で構成されており、軸支部３３も同様に透明であるが、着脱部材３４を赤色等の有色の部材とすることで、着脱部材３４が軸支部３３に装着されているか否かを目視で確認し易くなる。
【００４８】
ベース部３４ｂの一端部は、操作者が操作する操作部３４ｇを構成し、他端部には係合部３４ｃが形成されている。本実施形態の場合、係合部３４ｃは軸支部３３の係合部３３ｂと係合する楔形をなしている。内壁形成部３４ｄの一部は、軸孔３２ａの内壁の一部を構成する内壁３４ａを有している。内壁３４ａは図１１（ａ）に示すように、軸孔３２ａの内壁の一周分（３６０度分）のうち、１／４の９０度分の領域の内壁を形成している。内壁３４ａは内壁３３ａと比べると軸孔３２ａの内壁を形成する周方向の範囲が小さくされており、内壁３３ａが主としてヒンジ軸３１を軸支し、内壁３４ａは主としてヒンジ軸３１の脱落を抑制する。また、軸孔３２ａは、その内壁が無い隙間の部分も有しているが、内壁３３ａと、内壁３４ａとが径方向に対向した配置されている部分を含むため、ヒンジ軸３１を円滑かつ脱落なく軸支可能である。
【００４９】
つづら折り部３４ｅの開放側の端部は操作部３４ｈを構成し、その近傍には係合部３４ｆが形成されている。つづら折り部３４ｅの一部は軸支部３３のスロット３３ｃに挿入される大きさを有しており、係合部３４ｆは係合部３３ｄと係合する楔形をなしている。
【００５０】
操作部３４ｇと操作部３４ｈとは互いに離間しつつ対向した配置関係とされており、着脱部材３４は、これらの操作部３４ｇ、３４ｈをつまんで操作することにより弾性変形するクリップを構成している。操作部３４ｈおよび操作部３４ｇをつまんで近接させることで、係合部３４ｃと係合部３３ｂとの係合および係合解除操作、および、係合部３４ｆと係合部３３ｄとの係合および係合解除操作が可能である。
【００５１】
すなわち、つづら折り部３４ｅが内壁形成部３４ｄを介して、ベース部３４ｂの操作部３４ｇと係合部３４ｃとの中間部分に接続されているため、操作部３４ｈおよび操作部３４ｇをつまんで近接させると、係合部３４ｃは操作部３４ｇのつまみ方向と逆方向に変位し、係合部３４ｆは操作部３４ｈのつまみ方向と同方向に変位する。このため、一のつまみ操作で二か所の係合部の係合および係合解除操作が可能となっている。
【００５２】
次に、基板収容ユニットＡの取付部Ｂに対する封印手順について説明する。まず、基板収容ケース１の上ケース部材１０および下ケース部材２０の封印を行ったのち、基板収容ユニットＡの軸支ユニット３２を取付部Ｂのヒンジ軸３１に装着する。図９（ａ）および（ｂ）を参照してヒンジ部３０の組み立てについて説明する。図９（ａ）に示すように、軸支部３３から着脱部材３４が取り外された状態で、軸支部３３の内壁３３ａを左右方向一方の側から（本実施形態では正面視で左側から）ヒンジ軸３１に装着する。続いて、図９（ｂ）に示すように軸支部３３に左右方向他方の側から（本実施形態では正面視で右側から）、ｄ１方向に着脱部材３４を装着する。係合部３４ｃおよび係合部３３ｂと、係合部３４ｆおよび係合部３３ｄとがそれぞれ係合することで、軸支部３３に着脱部材３４が係合して軸支ユニット３２が完成する。これにより、基板収容ケース１がヒンジ軸３１周りに回動自在となる。
【００５３】
図１０（ａ）において矢印ｄ２方向に回動すると図１０（ｂ）に示すように、基板収容ケース１が（つまり基板収容ユニットＡが）、固定位置に位置することになる。このとき、その後、封印ピンＰ２により基板収容ユニットＡを固定位置に回動不能に固定する。その際、取付部Ｂの係合部４ｄが基板収容ケース１と係合することで基板収容ケース１を固定位置に仮止めした状態で封印ピンＰ２の差込みを行うことができ、作業性が向上する。これにより基板収容ユニットＡの取付部Ｂに対する封印が完了する。
【００５４】
基板収容ケース１が固定位置に位置している状態では、着脱部材３４の取り外しが規制される。すなわち、図１１（ａ）に示すように、基板収容ケース１が固定位置に位置している状態で、着脱部材３４を取り外すためには、着脱部材３４を矢印ｄ３方向に抜き出す必要があるが、取付部Ｂや背面板２４２が抜出方向に存在するため、着脱部材３４の抜き出しが困難である。また、操作部３４ｈが取付部Ｂ内に格納された状態となり、外部から操作部３４ｈを操作することが困難である。このため、係合部３４ｆと係合部３３ｄとの係合解除が困難であり、この点からも着脱部材３４の取り外しが困難である。したがって、基板収容ユニットＡの封印中、着脱部材３４の取り外しによる不正行為の困難性を高めることができる。
【００５５】
次に、主制御基板２の点検時の操作について説明する。主制御基板２の正面側は、基板収容ケース１の外部から視認可能であるが、背面側は背面板２４２等の存在により困難である。主制御基板２の背面を点検するため、まず、封印ピンＰ２を除去して取付部Ｂに対する基板収容ユニットＡの封印を解除する。これにより、基板収容ケース１がヒンジ軸３１周りに回動自在となる。図１１（ｂ）および図１２に示すように、基板収容ケース１を正面側へ回動する。これにより、基板収容ケース１の背面２１が露出し、背面２１を通して主制御基板２の背面の点検が可能となる。本実施形態では、基板収容ケース１を回動する構成なので、スライドさせる構成に比べて省スペース化を図れる。また、基板収容ケース１が固定位置から一定量回動した位置に至ると、着脱部材３４の取り外しが可能となる。着脱部材３４を取り外すと、ヒンジ軸３１と軸孔３２ａとが分離可能となり、基板収容ケース１を取付部Ｂから取り外すことができる。
【００５６】
本実施形態の場合、基板収容ケース１は、固定位置から９０度以上、正面側へ回動可能である。主制御基板２の背面の確認は、例えば、回動角度θ（図１２）が９０度を超える角度に達すると容易に行うことができる。図１２の例は１２０度である。回動角度θが９０度を超えると、着脱部材３４の着脱も容易になる。したがって、基板収容ケース１を通した主制御基板２の背面の確認の結果、詳細な点検が必要となった場合、着脱部材３４を取り外して基板収容ケース１を取付部Ｂから分離することができる。目視点検と基板収容ケース１の取り外しを連続的に行えるので作業工数を減らすことができる。また、基板収容ケース１を廃棄する場合でも、着脱部材３４は再利用可能である。
【００５７】
＜固着部＞
固着部４０の構成について説明する。固着部４０は硬化性樹脂により上ケース部材１０としたケース部材２０とを固着する部分である。硬化性樹脂は、液体の状態から硬化する樹脂であれば何でもよく、例えば、紫外線の照射により硬化する紫外線硬化性樹脂であってもよい。
【００５８】
図５および図６を参照して、固着部４０は、上ケース部材１０に一体的に形成されるケース部４１と、下ケース部材２０に一体的に形成されるケース部４２と、ケース部４１および４２とは別部材の支持部材４３と、支持部材４３に支持される封印部材４４と、を含む。
【００５９】
ケース部４１および４２は、硬化性樹脂の充填空間（図１３等の充填空間Ｓ）を画定する壁部を構成する部分である。本実施形態の場合、充填空間Ｓは全体として直方体形状の空間であり、ケース部４１はその側壁部（上下左右側の壁部）を構成し、ケース部４２はその底壁（背面側の壁部）を構成する。ケース部４１内には左右方向に延びる梁状の被固着部４１ａが一体に形成されている。また、ケース部４２には奥行き方向に延びる楔状の被固着部４２ａが一対形成されている。被固着部４１ａおよび４２ａは必ずしも設ける必要はないが、これらを設けることで、硬化性樹脂による上ケース部材１０としたケース部材２０との固着力を高めることができる。
【００６０】
支持部材４３は、一対の脚部４３Ａと、一対の脚部４３Ａの端部を結ぶ天部４３Ｂとを有するコ字型あるいは門型の部材である。脚部４３Ａには被固着部４２ａと係合する係合部４３ａが形成されており、本実施形態の場合、係合孔である。本実施形態の場合、支持部材４３は金属部材であるが、樹脂部材であってもよい。
【００６１】
本実施形態の場合、封印部材４４は天部４３Ｂに貼り付けられて支持されている。封印部材４４は充填空間Ｓに充填された硬化性樹脂に埋設され、硬化性樹脂を除去した痕跡を残す部材である。図１７（ａ）は封印部材４４の構成例を示す分解図である。同図の例では、封印部材４４は、複数の層（４層）からなる積層体のシート部材で構成している。詳細には、封印部材４４は、最表層のホログラム箔４４ａと、接着材４４ｂと、基材４４ｃと、接着剤４４ｄとを積層して構成されている。
【００６２】
ホログラム箔４４ａはホログラムが表示された金属箔であり、例えば、厚さが０．０５μｍのアルミニウム箔である。接着材４４ｂは基材４４ｃとホログラム箔４４ａとを接着する部材である。基材４４ｃは封印部材４４を、取り扱いを容易にするために、その強度を確保するための部材であり、例えば、厚さ１２０μｍのＰＥＴシートである。接着材４４ｄは、天部４３Ｂと封印部材４４とを接着する部材である。封印部材４４を支持部材４３に貼り付けるシート部材とすることで、その設置や不正行為発見後の交換等が容易であり、作業性が向上する。
【００６３】
次に、図１３〜図１５を参照して固着部４０の組立て手順および組み立て後の構造について説明する。図１３（ａ）は上ケース部材１０と下ケース部材２０とを組み合わせた状態を示しており、ケース部４１は、ケース部４２上に重ね合せた状態となり、正面側（同図で上側）のみが開放した充填空間Ｓが形成される。充填空間Ｓの開放端はケース部４１の端縁４１ｂにより画定され、ここが支持部材４３の挿入口や硬化性樹脂の注入口となる。端縁４１ｂのことを注入口４１ｂと呼ぶ場合がある。
【００６４】
次に、予め封印部材４４が貼り付けられた支持部材４３を充填空間Ｓ内に挿入する。図１３（ｂ）および図１４（ａ）は支持部材４３の挿入後の態様を示し、図１５（ａ）は図１４（ａ）のＩＩ−ＩＩ線断面図である。支持部材４３の各係合部４３ａは、ケース部４２の被固着部４２ａと係合しており、係合解除なくして支持部材４３の取り外しは困難な状態となっている。被固着部４１ａは、支持部材４３の天部４３Ｂと充填空間Ｓの底壁部（ケース部４２の一部）との間に介在している。このため、被固着部４１ａと被固着部４２ａとを正面−背面方向（同図で上下方向）に離間しようとしても、支持部材４３に拘束され、離間困難となる。換言すると、支持部材４３によって、上ケース部材１０と下ケース部材２０とを分離することが困難となっている。
【００６５】
図１４（ｂ）は、注入口４１ｂから充填空間Ｓへ硬化性樹脂４５を充填した状態を示し、図１５（ｂ）は図１４（ｂ）のＩＩＩ−ＩＩＩ線断面図である。充填空間Ｓ内の封印部材４４、支持部材４３、被固着部４１ａおよび４２ａは硬化性樹脂４５に埋設された状態にあり、硬化性樹脂４５の硬化によって固着部４０が完成し、基板収容ケース１が封印される。封印部材４４は開口部４１ｂに臨んだ位置に位置しており、硬化性樹脂４５が透過性を有する樹脂であることにより、外部から封印部材４４を目視で確認することが可能である。
【００６６】
図１６は固着部４０に対する不正行為の一例を示している。硬化性樹脂４５を加熱して軟化させる等した後、ドライバ等の工具Ｔにより、硬化性樹脂４５を掘り出して不正に除去している。このような不正行為については、封印部材４４にその痕跡が残るので、不正行為を発見することができる。図１７（ｂ）および（ｃ）はその説明図である。
【００６７】
図１７（ｂ）は、封印部材４４が充填空間Ｓ内で硬化性樹脂４５に埋設された状態を示している。図１７（ｃ）は、図１６に例示した手法等により硬化性樹脂４５が除去されている状態を示している。硬化性樹脂４５が除去されると、硬化性樹脂４５と固着している封印部材４４の少なくとも一部（同図ではホログラム箔４４ａの一部）が硬化性樹脂４５と共に除去され、その痕跡が残ることになる。
【００６８】
本実施形態の場合、硬化性樹脂４５により、特に、被固着部４１ａおよび４２ａ間が固着されており、不正行為により基板収容ケース１を開封する場合、これら被固着部４１ａおよび４２ａの分離が必須となり、その周囲の硬化性樹脂４５の除去が必須となる。封印部材４４は、注入口４１ｂと、被固着部４１ａおよび４２ａとの間に位置しているため、注入興４１ｂから工具Ｔを差し込んで被固着部４１ａおよび４２ａの周囲の硬化性樹脂４５を除去すると、封印部材４４を破損せざる得ず、不正行為の痕跡が高い確率で残ることになる。また、封印部材４４は支持部材４３の天部４３Ｂに支持されているので、充填空間Ｓ内における封印部材４４の位置は定位置である。したがって、封印部材４４自体に視認可能な痕跡が残らなくても、封印部材４４の位置がずれる等の痕跡が残る可能性があり、やはり不正行為の痕跡が高い確率で残ることになる。封印部材４４を定位置に配置するに際し、支持部材４３は必須ではないが、支持部材４３で支持することにより定位置に配置し易く、しかも、支持部材４３が金属部材であることにより、より強固に定位置に配置することが可能である。
【００６９】
＜他の実施形態＞
上記実施形態では、基板収容ユニットＡを基板収容ケース１から構成したが、基板収容ケース１を覆うカバーを設けてもよい。図１８はその構成例を示す模式図である。同図の例では、基板収容ユニットＡが、基板収容ケース１と、基板収容ケース１を収容する筒状のカバー５と、を含んで構成されている。図１８（ａ）は基板収容ケース１とカバー５とを分離した状態を示し、図１８（ｂ）はカバー５に基板収容ケース１を収容した状態を示す。この構成例の場合、軸支ユニット３２は基板収容ケース１ではなく、カバー５に設けており、封印ピンＰ２は、カバー５に設けられて基板収容ケース１の孔１ａを通って取付部Ｂ（不図示）の取付孔４ｃに係合する構成としている。基板収容ケース１をカバー５に収容することで、基板収容ケース１の保護性能を向上できる。カバー５は透過性を有する部材で構成することができ、これにより、基板収容ケース１内の主制御基板２を目視で点検することが可能となる。
【００７０】
また、上記実施形態では、主制御基板２を収容する構成例を説明したが、主制御基板２以外の基板（例えば副制御基板）に上記実施形態を適用してもよい。また、基板収容ユニットＡおよび取付部Ｂの設置個所は背面板２４２に限られず、遊技台の筐体内の各部を選択することができる。
【００７１】
また、上記実施形態では本発明をスロットマシンに適用した例を例示したが、本発明はぱちんこ機、封入式遊技機、じゃん球といったスロットマシン以外の遊技台にも適用可能である。
【００７２】
＜実施形態のまとめ＞
Ａ１．上記実施形態の遊技台(例えば100)は、
基板(例えば2)を収容する基板収容ケース(例えば1)を備えた遊技台であって、
前記基板収容ケースは、
第一のケース部材(例えば10)と、
第二のケース部材(例えば20)と、
前記第一のケース部材と前記第二のケース部材とを固着する固着部(例えば40)と、を含み、
前記固着部は、硬化性樹脂(例えば45)が充填された充填空間(例えばS)を備え、
前記充填空間に充填された前記硬化性樹脂には、該硬化性樹脂を除去された場合にその痕跡を残す封印部材(例えば44)が埋設されている、
ことを特徴とする。
【００７３】
この実施形態によれば、前記硬化性樹脂を除去すると前記封印部材にその痕跡が残ることにより、前記基板収容ケースの不正な開封を発見することができる。
【００７４】
Ａ２．上記実施形態の遊技台(例えば100)は、
前記固着部は、前記硬化性樹脂を前記充填空間に充填するための注入口(例えば41b)を含み、
前記第一のケース部材は、前記充填空間に配置された第一の被固着部(例えば41a)を含み、
前記第二のケース部材は、前記充填空間に配置された第二の被固着部(例えば42a)を含み、
前記封印部材は、前記注入口と、前記第一の被固着部および前記第二の被固着部との間の予め定めた位置に埋設されている、
ことを特徴とする。
【００７５】
この実施形態によれば、前記封印部材の位置確認によって、前記基板収容ケースの不正な開封の判断を行うことができる。
【００７６】
Ａ３．上記実施形態の遊技台(例えば100)は、
前記充填空間に充填された前記硬化性樹脂には、前記封印部材を支持する支持部材(例えば43)が埋設されており、
前記封印部材は、前記支持部材に貼り付けられたシート部材である、
ことを特徴とする。
【００７７】
この実施形態によれば、不正発見後に前記封印部材を剥がして新しい封印部材に交換し易く、作業性が向上する。
【００７８】
Ａ４．上記実施形態の遊技台(例えば100)は、
請求項３に記載の遊技台であって、
前記支持部材は、前記第一の被固着部と前記第二の被固着部とを離間困難に拘束する部材である、
ことを特徴とする。
【００７９】
この実施形態によれば、前記支持部材を、前記封印部材の支持に加えて、前記第一および第二のケース部材間の拘束にも活用できる。
【００８０】
Ａ５．上記実施形態の遊技台(例えば100)は、
前記支持部材は、金属部材である、
ことを特徴とする。
【００８１】
この実施形態によれば、前記封印部材の支持剛性を向上することができる。
【００８２】
Ａ６．以下の構成も採用可能である。
【００８３】
前記封印部材は、前記硬化性樹脂の破壊により前記硬化性樹脂と共に破断する脆弱部材であってもよい。前記封印部材は、薄膜部材であってもよく、その厚さは１ｍｍ以下であってもよく、０．５ｍｍ以下であってもよく、０．１ｍｍ以下であってもよく、０．１μｍ以下であってもよい。前記封印部材は金属箔であってもよい。前記封印部材は紙であってもよい。前記封印部材は積層体であってもよく、該積層体は基材層と接着層とを含んでもよい。痕跡は、前記封印部材の破断、破損、変位、すり替えのいずれかであってもよい。
【００８４】
前記封印部材は、前記支持部材を用いないで支持されていてもよく、例えば、前記硬化性樹脂中に浮遊状態で支持されていてもよく、前記充填空間の内壁に貼り付けられて支持されていてもよく、該内壁は底壁であってもよいし、側壁であってもよい。前記封印部材は前記注入口に隣接して配置されてもよい。
【００８５】
前記封印部材には文字または意匠等の表示が施されており、前記硬化性樹脂が透過性を有する樹脂であり、前記注入口から該表示が視認可能であってもよい。前記充填空間を画定する壁部の少なくとも一部が透明であり、前記硬化性樹脂が透過性を有する樹脂であり、前記固着部の外部から前記封印部材が視認可能であってもよい。表示はホログラムであってもよい。
【００８６】
前記支持部材と、前記第一の被固着部または前記第二の被固着部の少なくともいずれか一方とが互いに係合してもよい。前記支持部材はコ字型であってもよいし、前記第一の被固着部および前記第二の被固着部を囲む環状の部材であってもよいし、前記第一の被固着部および前記第二の被固着部を貫通するピン状の部材であってもよい。
【００８７】
前記充填空間は全体として直方体形状を有していてもよく、前記注入口は該直方体の一面に相当する部分であってもよい。前記封印部材は該一面と平行に配置されるシート部材であってもよい。前記充填空間を画定する壁部は、前記第一のケース部材の一部と、前記第二のケース部材の一部とによって形成されてもよく、前記第一のケース部材または前記第二のケース部材のいずれかによって全部が形成されてもよい。前記注入口を塞ぐ蓋部材を固着してもよい。前記硬化性樹脂は紫外線硬化樹脂であってもよい。
【００８８】
前記基板収容ケースは、その一方端部において取付部に回動自在に支持され、その他方端部に前記固着部が配置されてもよい。前記固着部は複数設けられていてもよい。前記基板収容ケースは、三以上のケース部材から構成されてもよく、前記固着部は全部のケース部材を固着してもよい。
【００８９】
Ｂ１．上記実施形態の遊技台(例えば100)は、
基板(例えば2)を収容する基板収容手段(例えばA)と、
前記基板収容手段が取り付けられる取付部(例えばB)と、
を備えた遊技台であって、
前記基板収容手段を回動自在に前記取付部に支持するヒンジ手段(例えば30)と、
前記基板収容手段を固定位置に回動不能に固定する固定手段(例えばP2)と、を備え、
前記ヒンジ手段は、
前記基板収容手段および前記取付部の一方に設けられたヒンジ軸(例えば31)と、
前記基板収容手段および前記取付部の他方に設けられ、前記ヒンジ軸を軸支する軸孔(例えば32a)と、を含み、
前記軸孔の内壁の一部(例えば34a)は、前記他方に着脱自在に装着される着脱部材(例えば34)により形成され、
前記着脱部材が前記他方から取り外されることにより、前記ヒンジ軸と前記軸孔とを分離可能であり(例えば図9)、
前記着脱部材は、前記基板収容手段が前記固定位置に位置する場合に、前記他方からの取り外しが規制される(例えば図10,図11(a))、
ことを特徴とする。
【００９０】
この実施形態によれば、基板の設置構造に特徴がある遊技台を提供することができる。前記基板収容手段が前記取付部に対して回動自在であることにより、前記基板収容手段の前記取付部側を確認することが容易化し、かつ、スライドする構成もよりも省スペース化を図れる。また、前記着脱部材の取り外しにより前記基板収容手段を取り外して内部の前記基板を確認することができる一方、前記基板収容手段が前記固定位置に位置している場合は前記着脱部材の取り外しが規制されるので、不正な取り外し行為の困難性を高めることができる。
【００９１】
Ｂ２．上記実施形態の遊技台(例えば100)は、
前記基板収容手段は、前記固定位置において前記取付部に対向する面(例えば21)を有し、
前記面は、前記基板収容手段に収容された前記基板を視認可能な透過部を有し、
前記基板収容手段は、前記固定位置から、前記面が前記取付部から離間した第一の位置(例えば図11(b))へ回動可能であり、
前記第一の位置は、前記透過部を介して前記基板を視認可能であって、かつ、前記着脱部材が前記他方に着脱可能な位置である、
ことを特徴とする。
【００９２】
この実施形態によれば、前記第一の位置への回動によって、前記基板収容手段に収容されている前記基板うち、前記面側に位置している電子部品等の確認が容易であり、かつ、確認の結果次第で、そのまま前記着脱部材を取り外して前記基板収容手段を取り外すことが可能であり、正常な点検作業等を円滑に行うことができる。
【００９３】
Ｂ３．上記実施形態の遊技台(例えば100)は、
前記着脱部材は、その弾性変形によって前記他方に係合および係合解除する弾性部材である、
ことを特徴とする。
【００９４】
この実施形態によれば、前記着脱部材の装着および取り外しを容易化することができる。
【００９５】
Ｂ４．上記実施形態の遊技台(例えば100)は、
前記軸孔の内壁の残りの部分(例えば33a)を形成する部分(例えば33)が透明であり、
前記着脱部材が有色の部材である、
ことを特徴とする。
【００９６】
この実施形態によれば、前記着脱部材が装着されているか否かを外部から目視で確認し易くなり、前記着脱部材の装着忘れや不正行為の確認を行い易くすることができる。
【００９７】
Ｂ５．以下の構成も採用可能である。
【００９８】
前記基板収容手段は、前記基板を収容する基板収容ケース(例えば1)を備えていてもよく、前記基板収容ケースに前記ヒンジ軸または前記軸孔が設けられてもよい。前記基板収容ケースが複数のケース部材から構成され、前記ヒンジ軸または前記軸孔が一のケース部材に設けられてもよい。前記基板収容手段は、前記基板を収容する基板収容ケース(例えば1)と、該基板収容ケースをカバーするカバー部材(例えば5)とを備えていてもよく、前記カバー部材に前記ヒンジ軸または前記軸孔が設けられてもよい。
【００９９】
前記着脱部材は、前記基板収容手段が前記固定位置に位置する場合に、その挿抜方向に邪魔部材が存在することによって、前記他方からの取り外しが規制されてもよく、該邪魔部材は、前記遊技台の筐体の一部であってもよいし、前記取付部であってもよい。前記着脱部材が操作部(例えば34g,34h)を有し、前記基板収容手段が前記固定位置に位置する場合に、該操作部に対する操作が困難になることによって、前記他方からの取り外しが規制されてもよく、該操作部に対する操作が困難な態様として、前記操作部が隠れてもよい。前記操作部が隠れる態様として、前記基板収容手段と前記取付部との間に格納される態様であってもよい。前記操作部を一対備え、該一対の操作部をつまむことによって係合解除が可能であってもよい。
【０１００】
前記ヒンジ手段は、前記基板収容手段の一方端部に位置していてもよい。前記基板収容手段は、９０度以上回動するように支持されていてもよい。前記ヒンジ軸は、前記基板の基板面を含む仮想面から離れた位置に位置していてもよく、前記基板収容手段が前記固定位置に位置する場合に、前記面からその法線方向に、前記基板よりも遠い位置に位置していてもよい。
【０１０１】
前記着脱部材が形成する前記内壁の一部は、前記軸孔の前記内壁のうち、周方向に半分未満の範囲であってもよい。前記着脱部材は、前記ヒンジ軸の径方向に着脱可能な部材であってもよい。前記着脱部材は複数あってもよい。
【０１０２】
前記取付部は前記遊技台の筐体の一部であってもよいし、別部材であってもよい。前記ヒンジ軸は前記取付部に設けられてもよい。前記軸孔は前記基板収容手段に設けられてもよく、前記基板収容手段は前記着脱部材と共に前記軸孔を形成する軸支部を有していてもよい。前記ヒンジ軸は前記取付部と一体に形成されてもよい。前記軸支部は前記基板収容手段と一体に形成されてもよい。
【０１０３】
前記固定位置において、前記基板収容手段は、前記着脱部材が取り外された状態であっても、構造的に取り外しが困難であってもよい。
【図１】
2018023460.tif 000003
【図２】
2018023460.tif 000004
【図３】
2018023460.tif 000005
【図４】
2018023460.tif 000006
【図５】
2018023460.tif 000007
【図６】
2018023460.tif 000008
【図７】
2018023460.tif 000009
【図８】
2018023460.tif 000010
【図９】
2018023460.tif 000011
【図１０】
2018023460.tif 000012
【図１１】
2018023460.tif 000013
【図１２】
2018023460.tif 000014
【図１３】
2018023460.tif 000015
【図１４】
2018023460.tif 000016
【図１５】
2018023460.tif 000017
【図１６】
2018023460.tif 000018
【図１７】
2018023460.tif 000019
【図１８】
2018023460.tif 000020